(57)【要約】【課題】建物の構造の如何にかかわらず、建物内の空間のベイクアウトをきわめて簡単に、しかも効率よく行え、また使い勝手の面でも、コスト面でも有利であるベイクアウト装置およびこれを用いたベイクアウト方法を得る。【解決手段】住宅１内の空間を所定温度に維持することにより、建材等から発生する揮発性有機物を除去するベイクアウト装置１０を、建物外に設置され所定温度の高温空気を発生する装置本体と、ここで発生した高温空気を建物の開口部２から建物内部に供給する可撓性を有するダクト１１，１２とで構成する。該ダクトを、建物の開口部に設けられ該開口部とダクトとの間を気密に保持する気密プレート３によって住宅１内に臨ませ、適宜の位置に開口させる。【選択図】　　　　図１
2004052501.tif 000002
【特許請求の範囲】
【請求項１】
建物内の空間を所定温度に維持することにより、建物内の建材等から発生する揮発性有機物を除去するベイクアウト装置であって、
建物外に設置され所定温度の高温空気を発生する装置本体と、
この装置本体で発生した高温空気を建物の開口部から建物内部に供給する可撓性を有するダクトと、
建物の開口部に設けられ、該開口部とダクトとの間を気密に保持する気密プレートとを備えたことを特徴とするベイクアウト装置。
【請求項２】
請求項１記載のベイクアウト装置において、
ダクトは複数本設けられ、それぞれが建物内空間の異なる位置に開口されていることを特徴とするベイクアウト装置。
【請求項３】
請求項１または請求項２記載のベイクアウト装置において、ダクトは床、天井、壁から離れた位置に開口されていることを特徴とするベイクアウト装置。
【請求項４】
請求項１、請求項２または請求項３記載のベイクアウト装置において、
建物の開口部は窓であり、
気密プレートは断熱性を有していることを特徴とするベイクアウト装置。
【請求項５】
請求項１、請求項２、請求項３または請求項４記載のベイクアウト装置を用いたベイクアウト方法であって、
建物は複数階建ての戸建て住宅であって、
この戸建て住宅の階段室を気密に封止し、
該住宅の各階層ごとに高温空気を供給することにより、ベイクアウトを行うことを特徴とするベイクアウト方法。
【請求項６】
請求項１、請求項２、請求項３または請求項４記載のベイクアウト装置を用いたベイクアウト方法であって、
建物は複数階建てであり、各階層に複数の住戸が設けられた集合住宅であって、
各住戸区分ごとに高温空気を供給することにより、ベイクアウトを行うことを特徴とするベイクアウト方法。
【請求項７】
請求項６記載のベイクアウト方法において、
建物は各住戸が２層以上で構成されたメゾネット住宅であり、
各住戸の各階層ごとに高温空気を供給することにより、ベイクアウトを行うことを特徴とするベイクアウト方法。
【発明の詳細な説明】
【０００１】
【発明の属する技術分野】
本発明は、建材等から発生する揮発性有機化合物（ＶＯＣｓ）を建物の室内温度を上げることによって低減するベイクアウト装置およびこれを用いたベイクアウト方法に関する。
【０００２】
【従来の技術】
近年、各種建材（仕上材等）に含有されている揮発性有機化合物のうち、ホルムアルデヒド等の有害化学物質が室内の空気中に放散することにより生じる健康障害、いわゆるシックハウス症候群が問題となっている。
【０００３】
このような問題を根本的に解決する手段として、メタナール等の揮発性有機物を含まない（または大幅に含有量を低減した）建材を用いることが考えられる。
しかしながら、こうした建材の普及に時間を要しているのが現状である。
また、既にメタナール等を含む建材により建造された既存の家屋について、これらを全て非（または低）メタナール建材に置き換えることは、コスト等を考慮すると現実的ではない場合が多い。
【０００４】
そこで、上述した有害物質を建材から除去する方法として、建築施工後の室温を一時的に高い温度に上げて、一定時間保つことにより、建材からの有害化学物質の大気中への揮発・放散を強制的に促進する方法、いわゆるベイクアウトと称される方法が、たとえば特開平１０−２５３１６１号公報、特開平１１−７６７５９号公報等により既に提案されている。
【０００５】
この方法は、ベイクアウト時間中に有害化学物質の揮発・放散を促進して、建材内に残留する有害化学物質の量を減少させることにより、その後の有害化学物質の揮発・放散量を低減させるのである。このような方法によれば、既に建設されている住居等にも応用可能である。
【０００６】
ところで、この種のベイクアウトを行うにあたって従来は、建物内の空間（室内）を加熱するための熱源となる加熱装置を、予め密閉状態とした室内に設置し、かつ該装置を駆動することによりベイクアウトを行っていた。
また、上述した加熱装置として、住宅等において室内に常設される暖房設備などを利用することにより、ベイクアウトを行うものも知られている。
【０００７】
【発明が解決しようとする課題】
しかし、上述した従来例では、建物内においてベイクアウトを行う室内に、上記の加熱装置を予め設置する作業が必要があるばかりでなく、ベイクアウトが終了した後に該加熱装置を取り外し、次のベイクアウトを行う室内に搬送して再び設置する等の作業を行う必要があり、ベイクアウトを行うにあたっての作業が面倒かつ煩雑となるという問題があった。
【０００８】
特に、この種のベイクアウトを行う必要がある住宅としては、複数階建ての戸建て住宅は勿論、複数階建ての集合住宅もあり、しかもこの集合住宅を構成する住戸としても、２層以上で構成されたメゾネット住宅である場合もある。このような構造の住宅等において、上記のベイクアウトを行うにあたっては、加熱装置の設置、取り外し等の作業がきわめて面倒かつ煩雑となるものであり、ベイクアウトの効率が悪く、しかもコスト高となる等の不具合があった。
【０００９】
また、各住宅に常設される暖房設備などを利用する方法では、ベイクアウトを行うための機能を設備に組み込む必要から、無駄が多く、コスト高を招くものであり、現実的ではない。
【００１０】
本発明はこのような事情に鑑みてなされたものであり、建物の構造の如何にかかわらず、建物内の空間のベイクアウトをきわめて簡単に、しかも効率よく行え、また使い勝手もよく、コスト面でも有利なベイクアウト装置およびこれを用いたベイクアウト方法を得ることを目的とする。
【００１１】
【課題を解決するための手段】
このような目的に応えるために本発明（請求項１記載の発明）に係るベイクアウト装置は、建物内の空間を所定温度に維持することにより、建物内の建材等から発生する揮発性有機物を除去するベイクアウト装置であって、建物外に設置され所定温度の高温空気を発生する装置本体と、この装置本体で発生した高温空気を建物の開口部から建物内部に供給する可撓性を有するダクトと、建物の開口部に設けられ、該開口部とダクトとの間を気密に保持する気密プレートとを備えたことを特徴とする。
【００１２】
本発明（請求項２記載の発明）に係るベイクアウト装置は、請求項１において、ダクトは複数本設けられ、それぞれが建物内空間の異なる位置に開口されていることを特徴とする。
【００１３】
本発明（請求項３記載の発明）に係るベイクアウト装置は、請求項１または請求項２において、ダクトは床、天井、壁から離れた位置に開口されていることを特徴とする。
【００１４】
本発明（請求項４記載の発明）に係るベイクアウト装置は、請求項１、請求項２または請求項３において、建物の開口部は窓であり、気密プレートは断熱性を有していることを特徴とする。
【００１５】
本発明（請求項５記載の発明）に係るベイクアウト方法は、請求項１、請求項２、請求項３または請求項４のベイクアウト装置を用いたベイクアウト方法であって、建物は複数階建ての戸建て住宅であって、この戸建て住宅の階段室を気密に封止し、該住宅の各階層ごとに高温空気を供給することにより、ベイクアウトを行うことを特徴とする。
【００１６】
本発明（請求項６記載の発明）に係るベイクアウト方法は、請求項１、請求項２、請求項３または請求項４のベイクアウト装置を用いたベイクアウト方法であって、建物は複数階建てであり、各階層に複数の住戸が設けられた集合住宅であって、各住戸区分ごとに高温空気を供給することにより、ベイクアウトを行うことを特徴とする。
【００１７】
本発明（請求項７記載の発明）に係るベイクアウト方法は、請求項６において、建物は各住戸が２層以上で構成されたメゾネット住宅であり、各住戸の各階層ごとに高温空気を供給することにより、ベイクアウトを行うことを特徴とする。
【００１８】
本発明によれば、ベイクアウト装置を構成する装置本体を建物外に設置するとともに、この装置本体から引き出されているダクトを、建物の開口部から建物内でベイクアウトを行う空間内に臨ませて開口させる。このとき、ダクトは、建物の開口部において気密プレートにより気密に保持される。また、ダクトは、建物内において、床、天井、壁から離れた位置に開口されるように設けられる。ダクトが複数本あるときは、建物内空間において異なる位置に開口させる。
【００１９】
前記装置本体を駆動し、所定温度の高温空気をダクトにより建物内空間に送り込むことにより、該建物内を所定温度に維持し、ベイクアウトを行う。その状態を一定時間維持した後、ダクトを回収し、次のベイクアウトを行うところに移動する。
【００２０】
建物が複数階建ての戸建て住宅であるときは、階段室を気密に封止し、各階層ごとにダクトで高温空気を供給することにより、ベイクアウトを順次行う。
建物が複数階建ての集合住宅であるときは、各住戸ごとにダクトで高温空気を供給することにより、ベイクアウトを順次行う。このとき、各住戸が２層以上で構成されたメゾネット住宅であるときは、当該住戸の各階層ごとにダクトで高温空気を供給することにより、ベイクアウトを行う。
【００２１】
ここで、ベイクアウトを行う高温空気の設定温度としては、４０〜５０℃程度とするとよい。その理由は、夏場の最も室温が高くなるとき以上まで暖めて、揮発性有機物を確実に発生させること、および仕上げ材等の建材に損傷がでない範囲に温度を抑える必要があること、等である。
また、このベイクアウトを行う時間としては、５〜７時間程度とするとよい。その理由は、加熱能力を考慮して１日で１フロアを終了させること、防犯、雨対策として夜間は室内を閉め切れるようにし、しかも換気、冷却に１〜１．５時間確保すること、朝９時から準備作業を開始し、１０時に加熱開始、１６時３０分換気・冷却開始、１８時撤収を標準スケジュールとすること、等である。
【００２２】
【発明の実施の形態】
図１ないし図３は本発明に係るベイクアウト装置の一つの実施の形態を示す。これらの図において、図１中、符号１は二階建ての戸建て住宅であり、１階部分１ａと二階部分１ｂとを備えている。２は各階部分１ａ，１ｂに適宜設けられている窓である。
【００２３】
本発明によれば、上述したような住宅１を構成する建物内の空間（室内）を、たとえば４０〜５０℃程度の設定温度で、５〜７時間の設定時間にわたって、高温状態に維持することにより、室内の建材から揮発性有機物を発生させてこれを除去するためのベイクアウト装置１０を、建物外、ここでは住宅１の敷地内で住宅１に近接した建物外の部分に設置している。
【００２４】
前記ベイクアウト装置１０は、前記設定温度の高温空気を発生する装置本体を備え、この装置本体には、ここで発生した高温空気を住宅１の開口部から住宅１の内部に供給する可撓性を有するダクト１１，１２が設けられている。ここで、装置本体には、外気を取り込んで所定温度まで加熱する機構部と、加熱した高温空気をダクト１１，１２により圧送する機構部とを備えている。また、ダクト１１，１２は、たとえば蛇腹状の長尺筒体であって、自由に引き回すことができるようになっている。
【００２５】
前記ベイクアウト装置１０において、ダクト１１，１２は、図１ないし図３に示すように、建物の開口部、ここでは住宅１の開口部である窓２から建物内部に差し込まれている。この窓２の窓枠２ａには、前記ダクト１１，１２を貫通させた状態でその間を気密に保持することができる気密プレート３が設けられている。すなわち、上記の住宅１の内部空間は、ベイクアウトを行う際には各所を封止することにより密封状態とされるものであり、これは上記ダクト１１，１２の貫通部分も同様であるからである。
【００２６】
なお、図３では、該ダクト１１，１２を臨ませる開口部としての窓２を封止するための気密プレート３を、窓枠２ａのレール溝を利用して設けている例を示す。しかし、これに限定されず、適宜の封止手段を介して封止した窓２の部分からダクト１１，１２を室内に貫通して臨ませることができる構造であればよい。
【００２７】
また、この実施の形態では、２本のダクト１１，１２を用いているが、これらのダクト１１，１２の室内側の開口端１１ａ，１２ａは、それぞれ住宅１内での異なる位置に開口するように、図２に示すように、室内を引き回されて設けられる。これは、住宅１の内部が壁等によって仕切られており、広いところや狭いところがあり、全体にわたって均一に高温空気を供給するには、狭い箇所までダクト１１の開口端１１ａを引き回すことが必要なためである。このようにすることで、当該住宅１の内部を均一に加熱することができる。
【００２８】
なお、上記の図２は住宅１の二階部分１ｂをベイクアウトする場合を示している。このとき、当該二階部分１ｂの全ての窓などの開口部は気密に封止されるとともに、階段室も封止される。
また、詳細な図示は省略したが、これらのダクト１１，１２の開口端１１ａ，１２ａは、室内において床、天井、壁から離れた位置に開口するように構成される。これも、室内を均一に加熱するためである。
【００２９】
このような構成において、ベイクアウトは、二階建ての戸建て住宅１であるとき、各階層ごとに順番に行われる。
このようなベイクアウト装置１０を用いて行うベイクアウトは、建物外に設置した装置１０の装置本体を駆動し、所定温度の高温空気を室内に送り込み、該室内を所定時間（たとえば５〜７時間程度）の間、所定温度（たとえば４０〜５０℃程度）に維持することで行われる。このようなベイクアウトの温度と時間とは、ベイクアウトを行う住宅の室内の大きさや構造等の条件に応じて適宜設定すればよい。
【００３０】
このようなベイクアウト装置１０は、住宅１の室内のベイクアウトをきわめて簡単に、しかも効率よく行えるとともに、しかも使い勝手もよく、コスト面でも有利である。
上記の住宅１においては、二階部分１ｂのベイクアウトの終了後に、ダクト１１，１２を取り外し、これを一階部分１ａに移して一階部分１ａのベイクアウトを同様に行うとよいものである。
【００３１】
図３は住宅が複数階建ての集合住宅５であるときのベイクアウト装置１０を例示するものである。ここでは、ベイクアウト装置１０は、建物外、たとえば集合住宅５の屋上等に設置するようにしてもよい。
また、このようなベイクアウト装置１０を用いて行われるベイクアウトは、各階層ごとであって、当該階の住戸ごとに行うとよい。
【００３２】
ここで、この図３では、最上階であって右端側の住戸の室内をベイクアウトする例を示し、図中６は窓、７はその窓６による開口部を封止する気密プレートであって、この気密プレート７を前記ダクト１１，１２が貫通するように設けている場合であり、それ以外の構成および作用効果は前述した図１、図２と同様であるから、ここでの説明は省略する。
【００３３】
なお、本発明は上述した実施の形態で説明した構造には限定されず、各部の形状、構造等を適宜変形、変更し得ることはいうまでもない。
たとえば上述した実施の形態では、二階建ての戸建て住宅１あるいは複数階建ての集合住宅５における建物内空間でのベイクアウトを行う場合を説明したが、本発明はこれに限らず、たとえば集合住宅５の住戸が２層以上で構成されているメゾネット住宅であっても同様に適用可能であることは勿論である。さらに、一般住宅に限らず、オフィス等といった住宅以外の建物であっても適用することは自由である。
【００３４】
また、ダクト１１，１２を室内側に臨ませる開口部としては、窓２に限らず、ドア等の開口部であってもよい。さらに、室内に臨ませた各ダクト１１，１２の開口端１１ａ，１２ａを、室内において適宜の長さで引き回し、室内の構造にかかわらずベイクアウトが効率よく行えるように構成してもよい。勿論、ダクト１１，１２としても、２本以上のダクトを用いてもよいことも言うまでもない。
【００３５】
【発明の効果】
以上説明したように本発明に係るベイクアウト装置およびベイクアウト方法によれば、所定温度の高温空気を発生する装置本体を建物外に設置し、ここで発生する高温空気を建物内に供給する可撓性を有するダクトを用いることにより、以下に述べる優れた効果を奏する。
【００３６】
すなわち、本発明によれば、簡単な構成で、取り扱いも簡単であるにもかかわらず、建物内の空間のベイクアウトをきわめて簡単に、しかも効率よく行える。特に、本発明によれば、建物外に設置した装置本体からダクトを用いて高温空気を建物内に供給できることから、建物の構造の如何にかかわらず、ベイクアウトを効率よく、円滑かつ確実に行えるものであり、装置としての使い勝手もよく、コスト面でも優れている等の優れた効果を奏することができる。
【図面の簡単な説明】
【図１】本発明に係るベイクアウト装置の一実施の形態を示し、二階建ての戸建て住宅に適用した場合を示す概略図である。
【図２】図１の戸建て住宅において二階部分のレイアウト構成を説明するための図である。
【図３】図１、図２において、本発明に係るベイクアウト装置からの２本のダクトを室外から室内に気密に貫通させた状態を説明するための要部断面図である。
【図４】本発明に係るベイクアウト装置の別の実施の形態を示し、複数階建ての集合住宅に適用した場合を示す概略図である。
【符号の説明】
１…一戸建て住宅（住宅）、２…窓、２ａ…窓枠、３…気密プレート、５…集合住宅、６…窓、７…気密プレート、１０…ベイクアウト装置（装置本体）、１１，１２…高温空気供給用のダクト、１１ａ，１２ａ…開口端。
【図１】
2004052501.tif 000003
【図２】
2004052501.tif 000004
【図３】
2004052501.tif 000005
【図４】
2004052501.tif 000006